(57)【要約】【課題】データ通信の内容に応じた通信制御設定を行い、低遅延や大容量リソースを効率良く利用すること。【解決手段】サーバ装置と基地局装置と情報処理装置を具備する通信システムにおいて、サーバ装置は、サーバ制御部を備え、サーバ制御部は、情報処理装置に提供するコンテンツに基づき、基地局装置と情報処理装置の通信について、通信制御設定要求情報を生成し、基地局装置は、基地局制御部を備え、基地局制御部は、サーバ装置から受信した通信制御設定要求情報に基づいて、情報処理装置と通信の設定を行い、情報処理装置は、情報処理制御部と情報処理通信部を備え、移動局制御部は、サーバ装置とコンテンツの送信又は受信を行わせ情報処理通信部は、コンテンツに応じた通信制御設定要求情報であって、サーバ装置から基地局装置へ要求された通信制御設定要求情報に基づいて、基地局装置と通信を行う。【選択図】図４
2020027964.tif 000002
【特許請求の範囲】
【請求項１】
サーバ装置と基地局装置と情報処理装置を具備する通信システムにおいて、
前記サーバ装置は、サーバ制御部を備え、
前記サーバ制御部は、前記情報処理装置に提供するコンテンツに基づいて、前記基地局装置と前記情報処理装置の通信について、通信品質又は通信容量を要求する通信制御設定要求情報を生成し、
前記基地局装置は、基地局制御部を備え、
前記基地局制御部は、前記サーバ装置から受信した前記通信制御設定要求情報に基づいて、前記情報処理装置と通信の設定を行い、
前記情報処理装置は、情報処理制御部と情報処理通信部を備え、
前記情報処理制御部は、前記サーバ装置とコンテンツの送信又は受信を行わせ、
前記情報処理通信部は、前記コンテンツに応じた通信制御設定要求情報であって、前記サーバ装置から前記基地局装置へ要求された前記通信制御設定要求情報に基づいて、前記基地局装置と通信を行う、
通信システム。
【請求項２】
前記基地局制御部は、前記サーバ装置から受信した前記通信制御設定要求情報に基づいて、前記情報処理装置と通信経路の設定を行う、
請求項１に記載の通信システム。
【請求項３】
前記サーバ制御部は、前記コンテンツに基づいて、要求するサービス品質を示す通信制御設定要求情報を生成し、
前記基地局制御部は、前記通信制御設定要求情報が示すサービス品質に基づいて、サービス品質の設定を行う、
請求項１に記載の通信システム。
【請求項４】
前記サーバ制御部は、前記情報処理装置の環境情報に応じて、前記通信制御設定要求情報を生成し、
前記基地局制御部は、前記環境情報に応じた前記通信制御設定要求情報に基づいて、前記情報処理装置と通信の設定を行う、
請求項１から請求項３のいずれか一項に記載の通信システム。
【請求項５】
前記基地局制御部は、
前記通信制御設定要求情報に基づいて、前記情報処理装置と行う通信を、より高い周波数帯域の通信であって、ビームフォーミングを用いた通信へ切り替える、
請求項１から請求項４のいずれか一項に記載の通信システム。
【請求項６】
前記基地局制御部は、
前記通信制御設定要求情報に基づいて、前記情報処理装置と行う通信を、サブキャリア間隔に応じて、スロット長又はシンボル長が変わる通信へ切り替える、
請求項１から請求項５のいずれか一項に記載の通信システム。
【請求項７】
サーバ制御部を備え、
前記サーバ制御部は、情報処理装置に提供するコンテンツに基づき、基地局装置と前記情報処理装置の通信について、通信品質又は通信容量を要求する通信制御設定要求情報を生成する、
サーバ装置。
【請求項８】
基地局制御部を備え、
前記基地局制御部は、サーバ装置から受信した通信制御設定要求情報に基づいて、情報処理装置と通信の設定を行う、
基地局装置。
【請求項９】
情報処理制御部と情報処理通信部を備え、
前記情報処理制御部は、サーバ装置とコンテンツの送信又は受信を行わせ、
前記情報処理通信部は、前記コンテンツに応じた通信制御設定要求情報であって、前記サーバ装置から基地局装置へ要求された前記通信制御設定要求情報に基づいて、前記基地局装置と通信を行う、
情報処理装置。
【請求項１０】
情報処理装置の通信方法であって、
サーバ装置とコンテンツの送信又は受信を行わせる第１ステップと、
前記コンテンツに応じた通信制御設定要求情報であって、前記サーバ装置から基地局装置へ要求された前記通信制御設定要求情報に基づいて、前記基地局装置と通信を行う第２ステップと、
を有する通信方法。
【請求項１１】
情報処理装置のコンピュータに、
サーバ装置とコンテンツの送信又は受信を行わせる第１手順と、
前記コンテンツに応じた通信制御設定要求情報であって、前記サーバ装置から基地局装置へ要求された前記通信制御設定要求情報に基づいて、前記基地局装置と通信を行う第２手順と、
を実行させるプログラム。
【発明の詳細な説明】
【技術分野】
【０００１】
本発明は、通信システム、サーバ装置、基地局装置、情報処理装置、通信方法、及びプログラムに関する。
【背景技術】
【０００２】
無線通信技術の発展により、携帯電話機等の携帯型情報装置が普及している。例えば、特許文献１には、トラフィック・フローが複数のアプリケーションに基づく場合は、個々のＱｏＳを合計した合計ＱｏＳについてネゴシエーションすることが記載されている。
【先行技術文献】
【特許文献】
【０００３】
【特許文献１】特開２０１５−２３３２８８号公報
【発明の概要】
【発明が解決しようとする課題】
【０００４】
しかしながら、特許文献１記載の技術は、個々の通信のＱｏＳについての合計ＱｏＳで通信を要求するものであり、個々の通信の内容によって区別を行っていない。つまり、特許文献１記載の技術では、全ての通信が低遅延や大容量の通信をしようとしているわけではないにも関わらず、全ての通信で低遅延や大容量が設定されてしまう場合がある。例えば、携帯型情報装置は、複数の機器と接続し、複数の機器の通信を、基地局装置へ中継する場合がある。この場合、携帯型情報装置は、複数の機器から多種多様なデータを受信し、これらのデータを１つの経路でまとめて、基地局装置へ送信している。
以上例示したように、従来の通信システムでは、低遅延や大容量リソースを効率良く利用できず、効率の良い通信を行うことができない場合がある、という問題があった。
【０００５】
本発明は、上記の課題に基づいてなされたものであり、効率の良い通信を行うことができる通信システム、サーバ装置、基地局装置、及び、情報処理装置を提供する。
【課題を解決するための手段】
【０００６】
（１）本発明は上記の課題を解決するためになされたものであり、本発明の一態様は、
サーバ装置と基地局装置と情報処理装置を具備する通信システムにおいて、前記サーバ装置は、サーバ制御部を備え、前記サーバ制御部は、前記情報処理装置に提供するコンテンツに基づき、前記基地局装置と前記情報処理装置の通信について、通信制御設定要求情報を生成し、前記基地局装置は、基地局制御部を備え、前記基地局制御部は、前記サーバ装置から受信した前記通信制御設定要求情報に基づいて、前記情報処理装置と通信の設定を行い、前記情報処理装置は、情報処理制御部と情報処理通信部を備え、前記情報処理設定部は、前記サーバ装置とコンテンツの送信又は受信を行わせ、前記情報処理通信部は、前記コンテンツに応じた通信制御設定要求情報であって、前記サーバ装置から前記基地局装置へ要求された前記通信制御設定要求情報に基づいて、前記基地局装置と通信を行う、通信システムである。
【０００７】
（２）また、本発明の他の態様は、上記通信システムにおいて、前記基地局制御部は、前記サーバ装置から受信した前記通信制御設定要求情報に基づいて、前記情報処理装置と通信経路の設定を行う。
【０００８】
（３）また、本発明の他の態様は、上記通信システムにおいて、前記基地局制御部は、前記サーバ装置から受信した前記通信制御設定要求情報に基づいて、データ毎に、サービス品質を示す通信モードの設定を行う。
【０００９】
（４）また、本発明の他の態様は、上記通信システムにおいて、前記基地局制御部は、前記情報処理装置の環境情報を用いて生成された、前記通信制御設定要求情報に基づいて、前記情報処理装置と通信の設定を行う。
【００１０】
（５）また、本発明の他の態様は、上記通信システムにおいて、前記基地局制御部は、前記通信制御設定要求情報に基づいて、前記情報処理装置と行う通信を、より高い周波数帯域の通信であって、ビームフォーミングを用いた通信へ切り替える。
【００１１】
（６）また、本発明の他の態様は、上記通信システムにおいて、前記基地局制御部は、前記通信制御設定要求情報に基づいて、前記情報処理装置と行う通信を、サブキャリア間隔に応じて、スロット長又はシンボル長が変わる通信へ切り替える。
【００１２】
（７）また、本発明の他の態様は、サーバ制御部を備え、前記サーバ制御部は、情報処理装置に提供するコンテンツに基づき、基地局装置と前記情報処理装置の通信について、通信品質又は通信容量を要求する通信制御設定要求情報を生成する、サーバ装置である。
【００１３】
（８）また、本発明の他の態様は、基地局制御部を備え、前記基地局制御部は、サーバ装置から受信した通信制御設定要求情報に基づいて、前記情報処理装置と通信の設定を行う、基地局装置である。
【００１４】
（９）また、本発明の他の態様は、情報処理制御部と情報処理通信部を備え、前記情報処理制御部は、サーバ装置とコンテンツの送信又は受信を行わせ、前記情報処理通信部は、前記コンテンツに応じた通信制御設定要求情報であって、前記サーバ装置から基地局装置へ要求された前記通信制御設定要求情報に基づいて、前記基地局装置と通信を行う、情報処理装置である。
【００１５】
（１０）また、本発明の他の態様は、情報処理装置の通信方法であって、サーバ装置とコンテンツの送信又は受信を行わせる第１ステップと、前記コンテンツに応じた通信制御設定要求情報であって、前記サーバ装置から基地局装置へ要求された前記通信制御設定要求情報に基づいて、前記基地局装置と通信を行う第２ステップと、を有する通信方法である。
【００１６】
（１１）また、本発明の他の態様は、情報処理装置のコンピュータに、サーバ装置とコンテンツの送信又は受信を行わせる第１手順と、前記コンテンツに応じた通信制御設定要求情報であって、前記サーバ装置から基地局装置へ要求された前記通信制御設定要求情報に基づいて、前記基地局装置と通信を行う第２手順と、を実行させるプログラムである。
【発明の効果】
【００１７】
本発明の一態様によれば、効率の良い通信を行うことができる。
【図面の簡単な説明】
【００１８】
【図１】本発明の第１実施形態における通信システムの適用例を示すネットワーク構成図である。
【図２】本実施形態における基地局装置の構成図である。
【図３】本実施形態における通信制御設定情報を示す表である。
【図４】本実施形態における、通信制御設定要求情報を示す表である。
【図５】本実施形態における移動局装置の構成図である。
【図６】本実施形態におけるコンテンツサーバの構成図である。
【図７】本発明の第１〜第４実施形態の通信システムにおける処理の流れの一例を示すシーケンス図である。
【図８】本発明の第３実施形態における通信システムの適用例を示すネットワーク構成図である。
【図９】本発明の第４実施形態における通信システムの適用例を示すネットワーク構成図である。
【図１０】本発明の第５及び第６実施形態における通信システムの適用例を示すネットワーク構成図である。
【図１１】本発明の第５及び第６実施形態の通信システムにおける処理の流れの一例を示すシーケンス図である。
【発明を実施するための形態】
【００１９】
（第１実施形態）
以下、図面を参照しながら本発明の第１実施形態について説明する。
【００２０】
＜通信システム＞
図１は、本発明の実施形態の通信システムＳの一例を示す図である。
通信システムＳは、自動車Ｔ１、移動局装置Ｍ（情報処理装置の一例）、基地局装置Ｂ、伝送装置Ｄ、並びに、コンテンツサーバＣａ及びＣｂを備える。コンテンツサーバＣａ及びＣｂを、コンテンツサーバＣ、とも称する。
【００２１】
自動車Ｔ１は、通信機器と表示装置を備える。自動車Ｔ１は、例えば搭乗者の移動局装置Ｍを介して、コンテンツサーバＣからダウンロードしたコンテンツを、車内にて表示する。自動車Ｔ１は、通信機器を有することから、通信装置Ｔとも称する。
コンテンツサーバＣは、移動局装置Ｍに提供するコンテンツに基づいて、基地局装置Ｂと移動局装置Ｍの通信について、通信品質又は通信容量を要求する通信制御設定要求情報を生成する。ここで、通信制御設定要求情報が要求する通信制御設定は通信品通又は通信容量に限られることはなく、例えば低遅延性、高信頼性等でも良い。
【００２２】
基地局装置Ｂは、コンテンツサーバＣから受信した通信制御設定要求情報に基づいて、移動局装置Ｍと通信の設定を行う。
移動局装置Ｍは、コンテンツサーバＣとコンテンツの送信又は受信を行う。移動局装置Ｍは、コンテンツに応じた通信制御設定要求情報であって、コンテンツサーバＣから基地局装置Ｂへ要求された前記通信制御設定要求情報に基づいて、基地局装置Ｂと通信を行う。
【００２３】
通信システムＳの動作の一例として、通信装置Ｔは、映像コンテンツなどの大容量コンテンツをダウンロードする場合について説明する。この場合、通信装置Ｔは、移動局装置Ｍを介して、映像コンテンツを要求するコンテンツ要求情報を、コンテンツサーバＣへ送信する。コンテンツサーバＣは、移動局装置Ｍに提供するコンテンツが映像コンテンツ（大容量コンテンツ）であると判定し、大容量の通信を要求する通信制御設定要求情報を生成する。基地局装置Ｂは、コンテンツサーバＣから受信した通信制御設定要求情報に基づいて、移動局装置Ｍと通信を、大容量下り通信の通信モード（後述する図３の設定番号１）に設定する。移動局装置Ｍは、大容量下り通信の通信モードで、基地局装置Ｂと通信を行う。
なお、通信装置Ｔが小容量コンテンツ（テキストデータ等）を要求する場合、コンテンツサーバＣは、小容量の通信を要求する通信制御設定要求情報を生成してもよいし、又は、大容量の通信を要求する通信制御設定情報を生成しなくてもよい。
【００２４】
このように、通信システムＳでは、コンテンツサーバＣは、送信又は受信するコンテンツに応じて、通信制御設定要求情報を生成する。基地局装置Ｂは、通信制御設定要求情報に基づいて移動局装置Ｍとの通信の設定を行う。これにより、通信システムＳは、送信又は受信するコンテンツに応じて、通信品質又は通信容量を設定することができ、効率の良い通信を行うことができる。
また、通信システムＳでは、基地局装置Ｂは、コンテンツサーバＣから、通信制御設定要求情報を受信する。仮に、移動局装置Ｍから受信する場合、移動局装置Ｍは台数が多いので、基地局装置Ｂにおいては、通信制御設定要求情報の処理負荷が高くなることがある。また、移動局装置Ｍは、一般ユーザが所有するものであり、基地局装置Ｂは、通信制御設定要求情報の制御又は統治が困難になることもある。通信システムＳでは、基地局装置Ｂは、コンテンツサーバＣから通信制御設定要求情報を受信するので、通信制御設定要求情報の処理負荷が高くなることを抑制し、また、通信制御設定要求情報を制御又は統治を行うことができる。
【００２５】
＜基地局装置＞
図２は、本発明の実施形態の基地局装置Ｂの構成図である。本発明の実施形態の基地局装置Ｂは、第１基地局通信部Ｂ１、通信制御設定情報記憶部Ｂ２、基地局制御部Ｂ３、及び第２基地局通信部Ｂ４を備える。第１基地局通信部Ｂ１は、送信部Ｂ１１及び受信部Ｂ１２を備える。基地局制御部Ｂ３は、通信制御設定制御部Ｂ３１及び通信処理部Ｂ３２を備える。第２基地局通信部Ｂ４は、送信部Ｂ４１及び受信部Ｂ４２を備える。
【００２６】
第１基地局通信部Ｂ１は、送信部Ｂ１１および受信部Ｂ１２を用いて、移動局装置Ｍと通信する。通信制御設定情報記憶部Ｂ２には、通信に関する設定情報（「通信制御設定情報」とも称する）が保存される。ここで、通信制御設定情報は、設定番号と、通信モードと、通信経路と、クラス識別情報と、を含む（図３参照）。通信モード、通信経路、及びクラス識別情報は、設定番号に対応する。
【００２７】
また、通信制御設定情報記憶部Ｂ２には、要求する通信制御設定に関する表（「通信制御設定要求情報表」とも称する）が保存される（図４参照）。通信制御設定要求情報表は、要求番号と設定番号とを含む。要求番号は、通信制御設定要求情報に含まれる。基地局装置Ｂは、通信制御設定要求情報を、受信部Ｂ４２を介してコンテンツサーバＣから受信する。
【００２８】
送信部Ｂ１１は、基地局制御部Ｂ３から入力される各種データ、制御情報等を移動局装置Ｍに送信する。受信部Ｂ１２は、移動局装置Ｍから各種データや制御情報を受信し、基地局制御部Ｂ３に出力する。通信制御設定制御部Ｂ３１は、通信制御設定情報と、通信制御設定要求情報表と、要求番号とに基づいて、設定番号を選択する。
【００２９】
具体的には、通信制御設定制御部Ｂ３１は、通信制御設定要求情報に含まれる要求番号を抽出し、抽出した要求番号に対応する通信モード、及び／又は通信経路を、通信制御設定情報から選択して設定する。ここで、通信制御設定制御部Ｂ３１は、複数の設定番号を選択しても良い。
【００３０】
通信処理部Ｂ３２は、第１基地局通信部Ｂ１の通信処理、および第２基地局通信部Ｂ４の通信処理を制御する。また、通信処理部Ｂ３２は、第１基地局通信部Ｂ１に対して、通信制御設定制御部Ｂ３１が設定した通信モード及び／または通信経路で、通信を行わせる。これにより、基地局装置Ｂは、設定番号に応じた通信モード及び／または通信経路で、移動局装置Ｍと通信を行う。
【００３１】
通信処理部Ｂ３２は、第１基地局通信部Ｂ１に対して、通信制御設定要求情報を移動局装置Ｍに送信させるよう制御しても良い。第２基地局通信部Ｂ４は、伝送装置Ｄとの通信を行う。基地局装置Ｂ及び伝送装置Ｄの通信によって、例えば第５世代モバイル通信のコアネットワークを形成しても良い。
【００３２】
図３は、通信制御設定情報の表である。
設定番号１は、‘大容量下り通信’の通信モードに対応する。‘大容量下り通信’の通信モードは、下りリンクにおいて例えばピークデータレートとして１０Ｇｂｉｔ／ｓ以上の通信容量を保証する通信モードである。また、設定番号１は、‘大容量下り（５Ｇ）’の通信経路に対応する。‘大容量下り通信’の通信モードには、クラス識別情報として‘帯域制御’が設定されていても良い。
【００３３】
設定番号２は、‘大容量上り通信’の通信モードに対応する。‘大容量上り通信’の通信モードは、上りリンクにおいて例えばピークデータレートとして１０Ｇｂｉｔ／ｓ以上の通信容量を保証する通信モードである。また、設定番号２は、‘大容量上り（５Ｇ）’の通信経路に対応する。‘大容量上り通信’の通信モードには、クラス識別情報として‘帯域制御’が設定されていても良い。
【００３４】
設定番号３は、‘低遅延通信レベル１’の通信モードに対応する。‘低遅延通信レベル１’の通信モードは、無線区間の遅延として１ｍｓｅｃ以下の通信品質を保証する通信モードである。また、設定番号３は、‘低遅延（５Ｇ）’の通信経路に対応する。‘低遅延通信レベル１’の通信モードには、クラス識別情報として‘優先制御レベル１’が設定されていても良い。
【００３５】
設定番号４は、‘低遅延通信レベル２’の通信モードに対応する。‘低遅延通信レベル２’の通信モードは、無線区間の遅延として５ｍｓｅｃ以下の通信品質を保証する通信モードである。また、設定番号４は、‘低遅延（５Ｇ）’の通信経路に対応する。‘低遅延通信レベル２’の通信モードには、クラス識別情報として‘優先制御レベル２’が設定されていても良い。
【００３６】
設定番号５は、‘低遅延通信レベル３’の通信モードに対応する。‘低遅延通信レベル３’の通信モードは、無線区間の遅延として１０ｍｓｅｃ以下の通信品質を保証する通信モードである。また、設定番号５は、‘低遅延（５Ｇ）’の通信経路に対応する。‘低遅延通信レベル３’の通信モードには、クラス識別情報として‘優先制御レベル３’が設定されていても良い。
【００３７】
設定番号６は、‘高信頼性通信’の通信モードに対応する。‘高信頼性通信’の通信モードは、可用性として９９．９９９％以上の通信品質を保証する通信モードである。‘高信頼性通信’の通信モードにおいては、通信断の時間の割合が最小化される。また、設定番号６は、‘高信頼性（５Ｇ）’の通信経路に対応する。‘低遅延通信レベル３’の通信モードには、クラス識別情報として‘設定’が設定されていても良い。
【００３８】
設定番号７は、‘Ｒｅｓｅｒｖｅｄ’の通信モードに対応する。‘Ｒｅｓｅｒｖｅｄ’の通信モードは、将来の拡張のためにリザーブされている通信モードである。また、設定番号７は、‘Ｒｅｓｅｒｖｅｄ’の通信経路に対応する。‘Ｒｅｓｅｒｖｅｄ’の通信モードには、クラス識別情報として‘Ｒｅｓｅｒｖｅｄ’が設定されていても良い。
【００３９】
設定番号８は、‘ＬＴＥ相当の通信’の通信モードに対応する。‘ＬＴＥ相当の通信’の通信モードは、ＬＴＥ相当の通信を可能にする通信モードである。また、設定番号８は、‘ＬＴＥ相当の通信’の通信経路に対応する。‘ＬＴＥ相当の通信’の通信モードには、クラス識別情報として‘ＬＴＥ相当’が設定されていても良い。
【００４０】
設定番号１から８までの通信モードを、単独で設定しても良いし、複数の設定番号の通信モードを同時に設定しても良い。例えば、設定番号１及び設定番号２に対応する通信モードを同時に設定しても良い。また、例えば、設定番号１、設定番号２、及び設定番号５に対応する通信モードを、同時に設定しても良い。
【００４１】
設定番号１から８までの通信経路を、単独で設定しても良いし、複数の設定番号の通信経路を同時に設定しても良い。例えば、設定番号１及び設定番号２に対応する通信経路を同時に設定しても良い。また、例えば、設定番号１、設定番号２、及び設定番号５に対応する通信経路を、同時に設定しても良い。
【００４２】
図４は、本実施形態における通信制御設定要求情報表である。通信制御設定要求情報表においては、コンテンツに対応する要求番号と設定番号とが表されている。
要求番号１は、自動運転コンテンツに対応し、設定番号として１及び３を含む。
要求番号２は、映画コンテンツに対応し、設定番号として１を含む。
要求番号３は、球場関係者のコンテンツに対応し、設定番号として２を含む。
要求番号４は、球場の観客のコンテンツに対応し、設定番号として１を含む。
【００４３】
要求番号５は、ｅ−ｓｐｏｒｔｓのプレイヤーのコンテンツに対応し、設定番号として１、２、及び３を含む。ここでｅ−ｓｐｏｒｔｓとは、複数のプレイヤーで対戦されるコンピュータゲーム（ビデオゲーム）をスポーツ・競技として捉える際の名称である。本実施形態において、ｅ−ｓｐｏｒｔｓに用いられるゲーム機が、移動局装置Ｍを通じてコンテンツサーバＣと通信可能であるとする。
要求番号６は、ｅ−ｓｐｏｒｔｓの観客のコンテンツに対応し、設定番号として１、２、及び３を含む。
【００４４】
要求番号７は、遠隔医療（問診）のコンテンツに対応し、設定番号として１及び２を含む。
要求番号８は、遠隔医療（手術）のコンテンツに対応し、設定番号として１、２及び３を含む。
要求番号９は、遠隔医療（経過観察）のコンテンツに対応し、設定番号として６を含む。
要求番号１０は、通信モード及び／又は通信経路の解放を求めるものである。
【００４５】
＜移動局装置＞
図５は、本発明の実施形態の移動局装置Ｍの構成図である。移動局装置Ｍは、第１移動局通信部Ｍ１、通信制御設定情報記憶部Ｍ２、移動局制御部Ｍ３、及び第２移動局通信部Ｍ４を備える。第１移動局通信部Ｍ１は、送信部Ｍ１１、及び受信部Ｍ１２を備える。移動局制御部Ｍ３は、通信制御設定制御部Ｍ３１、及び通信処理部Ｍ３２を備える。第２移動局通信部Ｍ４は、送信部Ｍ４１及び受信部Ｍ４２を備える。
【００４６】
第１移動局通信部Ｍ１は、送信部Ｍ１１及び受信部Ｍ１２を用いて、基地局装置Ｂと通信する。通信制御設定情報記憶部Ｍ２には、通信制御設定情報が保存される。また、通信制御設定情報記憶部Ｍ２には、通信制御設定要求情報表が保存される。送信部Ｍ１１は、移動局制御部Ｍ３から入力される各種データ、及び制御情報等を基地局装置Ｂに送信する。受信部Ｍ１２は、基地局装置Ｂから各種データ、制御情報、及び通信制御設定要求情報等を受信し、移動局制御部Ｍ３に出力する。
【００４７】
通信制御設定制御部Ｍ３１は、基地局装置Ｂから通信制御設定要求情報を受信した場合、当該通信制御設定要求情報に含まれる要求番号に対応する設定番号を抽出しても良い。通信制御設定制御部Ｍ３１は、基地局装置Ｂから通信制御設定要求情報を受信した場合、通信制御設定情報と、通信制御設定要求情報表と、要求番号とに基づいて、設定番号を選択しても良い。
【００４８】
通信処理部Ｍ３２は、第１移動局通信部Ｍ１の通信処理、および第２移動局通信部Ｍ４の通信処理を制御する。移動局装置Ｍは、第２移動局通信部Ｍ４を用いて、通信端末Ｔと通信を行っても良い。この場合、送信部Ｍ４１は、移動局制御部Ｍ３から入力される各種データや制御情報を、通信装置Ｔに送信しても良い。受信部Ｍ４２は、通信装置Ｔから各種データと、制御情報とを受信し、移動局制御部Ｍ３に出力しても良い。
【００４９】
また、通信処理部Ｍ３２は、第２移動局通信部Ｍ４に対して、通信制御設定制御部Ｍ３１が設定した通信モード及び／または通信経路で、通信を行わせても良い。これにより、移動局装置Ｍは、設定番号に応じた通信モード及び／または通信経路で、通信装置Ｔと通信を行う。
【００５０】
＜コンテンツサーバ＞
図６は、本発明の実施形態のコンテンツサーバＣの構成図である。コンテンツサーバＣは、通信制御設定情報記憶部Ｃ１、サーバ制御部Ｃ２、サーバ通信部Ｃ３、及びコンテンツ保存部Ｃ４を備える。サーバ制御部Ｃ２は、通信制御設定制御部Ｃ２１及び通信処理部Ｃ２２を備える。サーバ通信部Ｃ３は、送信部Ｃ３１及び受信部Ｃ３２を備える。
【００５１】
通信制御設定情報記憶部Ｃ１には、通信制御設定情報が保存される。また、通信制御設定情報記憶部Ｃ１には、通信制御設定要求情報表が保存される。通信制御設定制御部Ｃ２１は、基地局装置Ｂと移動局装置Ｍとの間の通信に対して要求する、通信モード及び／又は通信経路を決定する。通信制御設定制御部Ｃ２１は、通信制御設定情報と、通信制御設定要求情報表と、コンテンツ保存部Ｃ４に保存されるコンテンツの内容と、に基づいて、通信モード及び／又は通信経路を決定する。
【００５２】
通信制御設定制御部Ｃ２１は、決定した通信モード及び／又は通信経路に対応する通信制御設定要求情報を生成する。通信制御設定要求情報は、要求番号を含む。当該通信制御設定要求情報は、複数の設定番号に対応しても良い。サーバ通信部Ｃ３は、送信部Ｃ３１及び受信部Ｃ３２を用いて、伝送装置Ｄと通信する。コンテンツ保存部Ｃ４には、移動局装置Ｍが利用するコンテンツが保存される。コンテンツ保存部Ｃ４には、通信装置Ｔが利用するコンテンツが保存されても良い。
【００５３】
次に、本実施形態に係る通信制御設定処理の一例を示すシーケンスについて説明する。図７は、本実施形態に係る通信制御設定処理の一例を示すシーケンスである。ステップＳＴ１００において、移動局装置Ｍと基地局装置Ｂとは通信中の状態にある。ＳＴ１０１において、移動局装置Ｍは、映画コンテンツの視聴要求を基地局装置Ｂに対して行う。ステップＳＴ１０２において、伝送装置Ｄは映画コンテンツサーバへの接続要求を伝送装置Ｄに対して行う。
【００５４】
ステップＳＴ１０３において、伝送装置ＤはコンテンツサーバＣａに対して認証要求を行う。ステップＳＴ１０４において、伝送装置ＤのコンテンツサーバＣａによる認証が確立する。ステップＳＴ１０５において、コンテンツサーバＣａの通信制御設定制御部Ｃ２１は、通信制御設定の設定番号として‘１’を、通信制御設定情報記憶部Ｃ１から選択し、通信制御設定要求情報を生成する。当該通信制御設定要求情報は、要求番号として‘２’を、設定番号として‘１’を含む。通信処理部Ｃ２２は、当該要求番号を含む通信制御設定要求情報を、送信部Ｃ３１によって、伝送装置Ｄに対して送信させる。
【００５５】
ステップＳＴ１０６において、伝送装置Ｄは基地局装置Ｂに対して、当該通信制御設定要求情報を送信する。ステップＳＴ１０７において、通信制御設定制御部Ｂ３１は、当該通信制御設定要求情報が含む要求番号‘２’と、図４に示す通信制御設定要求情報表とに基づき、設定番号の‘１’に対応する通信モードを選択する。
【００５６】
そして、通信処理部Ｂ３２は、第１基地局通信部Ｂ１に対して、通信制御設定制御部Ｂ３１が設定した通信モード、すなわち‘大容量下り通信’の通信モードで、通信を行わせる。これにより、基地局装置Ｂは、設定番号に応じた通信モードで、移動局装置Ｍと通信を行う。
【００５７】
ここで、ステップＳＴ１０７において、通信制御設定制御部Ｂ３１は、当該通信制御設定要求情報と、図４に示す通信制御設定要求情報表とに基づき、設定番号の‘１’に対応する通信経路を選択しても良い。通信処理部Ｂ３２は、第１基地局通信部Ｂ１に対して、通信制御設定制御部Ｂ３１が設定した通信経路、すなわち‘大容量下り（５Ｇ）’の通信経路で、通信を行わせても良い。
【００５８】
ステップＳＴ１０８において、ユーザは、移動局装置Ｍを用いて映画コンテンツを視聴する。
【００５９】
ステップＳＴ１０９において、コンテンツサーバＣａは、通信制御設定要求情報を生成し、伝送装置Ｄに対して送信し、一度設定した通信モード及び／又は通信経路を解放させるようにする。当該通信制御設定要求情報は、要求番号として‘１０’を含む。ステップＳＴ１１０において、伝送装置Ｄは、当該通信制御設定要求情報を基地局装置Ｂに対して送信する。
【００６０】
ステップＳＴ１１１において、基地局装置Ｂの通信制御設定制御部Ｂ３１は、当該通信制御設定要求情報が含む要求情報の‘１０’に基づき、設定した通信モード及び／又は通信経路を解放する、という情報を読み出す。通信処理部Ｂ３２は、当該通信制御設定情報に基づき、設定した通信モード及び／又は通信経路を、第１基地局通信部Ｂ１に対して解放させるよう制御する。
【００６１】
このように、第１実施形態にかかる通信システムＳは、コンテンツサーバＣと基地局装置Ｂと移動局装置Ｍを具備する。コンテンツサーバＣは、サーバ制御部Ｃ２を備える。サーバ制御部Ｃ２は、移動局装置Ｍに提供するコンテンツに基づき、基地局装置Ｂと移動局装置Ｍの通信について、通信容量を要求する通信制御設定要求情報を生成する。
【００６２】
基地局装置Ｂは、基地局制御部Ｂ３を備える。基地局制御部Ｂ３は、コンテンツサーバＣから受信した通信制御設定要求情報に基づいて、移動局装置Ｍと通信の設定を行う。
【００６３】
移動局装置Ｍは、移動局制御部Ｍ３と第１移動局通信部Ｍ１を備え、移動局制御部Ｍ３は、コンテンツサーバＣとコンテンツの送信又は受信を行わせる。第１移動局通信部Ｍ１は、当該コンテンツに応じた通信制御設定要求情報であって、コンテンツサーバＣから基地局装置Ｂへ要求された通信制御設定要求情報に基づいて、基地局装置Ｂと通信を行う。
【００６４】
これにより、基地局装置Ｂは、通信制御設定要求情報に基づき、コンテンツに応じた通信容量で、移動局装置Ｍと通信を行うことができる。したがって、通信システムＳの通信において大容量通信リソースを効率良く利用できる。
【００６５】
また、本実施形態の通信システムＳにおいて、基地局制御部Ｂ３は、コンテンツサーバＣから受信した通信制御設定要求情報に基づいて、移動局装置Ｍと通信経路の設定を行う。
【００６６】
これにより、基地局装置Ｂは、通信制御設定要求情報に基づき、コンテンツに応じた通信容量で、移動局装置Ｍと通信を行うことができる。したがって、通信システムＳの通信において大容量通信リソースを効率良く利用できる。
【００６７】
また、本実施形態の通信システムＳにおいて、基地局制御部Ｂ３は、コンテンツサーバＣから受信した通信制御設定要求情報に基づいて、移動局装置Ｍと通信モードの設定を行う。
【００６８】
これにより、基地局装置Ｂは、通信制御設定要求情報に基づき、コンテンツに応じた通信容量で、移動局装置Ｍと通信を行うことができる。したがって、通信システムＳの通信において大容量通信リソースを効率良く利用できる。
【００６９】
（第２実施形態）
次いで、本発明の第２実施形態について説明する。第２実施形態では、第１実施形態に加えて、端末装置Ｔとしての自動車Ｔ１が、移動局装置Ｍのテザリング機能を用いて、移動局装置Ｍを介して基地局装置Ｂと接続する。テザリングとは、例えば、通信装置Ｔを移動局装置Ｍに接続し、移動局装置Ｍをモデムの代わりにして、通信装置Ｔをネットワークに常時接続することである。
【００７０】
次に、本実施形態に係る通信制御設定処理の一例を示すシーケンスについて説明する。第２実施形態においては、図７に記載の通信制御設定処理の一例を示すシーケンスを流用する。ステップＳＴ１００において、移動局装置Ｍと基地局装置Ｂとは通信中の状態にある。ＳＴ１０１において、移動局装置Ｍは、自動運転コンテンツの利用要求を基地局装置Ｂに対して行う。ステップＳＴ１０２において、伝送装置Ｄは自動運転コンテンツサーバＣｂへの接続要求を伝送装置Ｄに対して行う。
【００７１】
ステップＳＴ１０３において、伝送装置ＤはコンテンツサーバＣｂに対して認証要求を行う。ステップＳＴ１０４において、伝送装置ＤのコンテンツサーバＣｂによる認証が確立する。ステップＳＴ１０５において、コンテンツサーバＣｂの通信制御設定制御部Ｃ２１は、通信制御設定の設定番号として‘１’及び‘３’を通信制御設定情報記憶部Ｃ１から選択し、通信制御設定要求情報を生成する。当該通信制御設定要求情報は、要求番号として‘１’を、設定番号として‘１’及び‘３’を含む。通信処理部Ｃ２２は、当該設定番号を含む通信制御設定要求情報を、送信部Ｃ３１によって、伝送装置Ｄに対して送信させる。
【００７２】
ステップＳＴ１０６において、伝送装置Ｄは基地局装置Ｂに対して、当該通信制御設定要求情報を送信する。ステップＳＴ１０７において、通信制御設定制御部Ｂ３１は、当該通信制御設定要求情報が含む要求番号‘１’と、図４に示す通信制御設定要求情報表とに基づき、設定番号の‘１’及び‘３’に対応する通信モードを選択する。
【００７３】
そして、通信処理部Ｂ３２は、第１基地局通信部Ｂ１に対して、通信制御設定制御部Ｂ３１が設定した通信モード、すなわち大容量下り通信、かつ低遅延通信レベル１で、通信を行わせる。
【００７４】
ここで、ステップＳＴ１０７において、通信制御設定制御部Ｂ３１は、当該通信制御設定要求情報と、図４に示す通信制御設定要求情報表とに基づき、設定番号の‘１’及び‘３’に対応する通信経路を選択しても良い。通信処理部Ｂ３２は、第１基地局通信部Ｂ１に対して、通信制御設定制御部Ｂ３１が設定した通信経路、すなわち‘大容量下り（５Ｇ）’及び‘低遅延通信レベル１’の通信経路で、通信を行わせても良い。
【００７５】
ステップＳＴ１０８において、ユーザは、移動局装置Ｍ及び自動車Ｔ１を用いて自動運転コンテンツを利用する。
【００７６】
ステップＳＴ１０９において、コンテンツサーバＣｂは、通信制御設定要求情報を生成し、伝送装置Ｄに対して送信し、一度設定した通信モード及び／又は通信経路を解放させるようにする。当該通信制御設定要求情報は、要求番号として‘１０’を含む。ステップＳＴ１１０において、伝送装置Ｄは、当該通信制御設定要求情報を基地局装置Ｂに対して送信する。
【００７７】
ステップＳＴ１１１において、基地局装置Ｂの通信制御設定制御部Ｂ３１は、当該通信制御設定要求情報が含む要求番号の‘１０’に基づき、設定した通信モード及び／又は通信経路を解放するという情報を読み出す。通信処理部Ｂ３２は、当該情報に基づき、設定した通信モード及び／又は通信経路を、第１基地局通信部Ｂ１に対して解放させるよう制御する。
【００７８】
このように、第２実施形態にかかる通信システムＳは、コンテンツサーバＣと基地局装置Ｂと移動局装置Ｍを具備する。コンテンツサーバＣは、サーバ制御部Ｃ２を備える。サーバ制御部Ｃ２は、移動局装置Ｍに提供するコンテンツに基づき、基地局装置Ｂと移動局装置Ｍの通信について、通信容量を要求する通信制御設定要求情報を生成する。
【００７９】
基地局装置Ｂは、基地局制御部Ｂ３を備える。基地局制御部Ｂ３は、コンテンツサーバＣから受信した通信制御設定要求情報に基づいて、移動局装置Ｍと通信の設定を行う。
【００８０】
移動局装置Ｍは、移動局制御部Ｍ３と第１移動局通信部Ｍ１を備え、移動局制御部Ｍ３は、コンテンツサーバＣとコンテンツの送信又は受信を行わせる。第１移動局通信部Ｍ１は、当該コンテンツに応じた通信制御設定要求情報であって、コンテンツサーバＣから基地局装置Ｂへ要求された通信制御設定要求情報に基づいて、基地局装置Ｂと通信を行う。
【００８１】
これにより、基地局装置Ｂは、通信制御設定要求情報に基づき、コンテンツに応じた通信品質又は通信容量で、移動局装置Ｍと通信を行うことができる。したがって、通信システムＳの通信において低遅延性を確保し、及び大容量通信リソースを効率良く利用できる。
【００８２】
（第３実施形態）
次いで、本発明の第３実施形態について説明する。図８は、本実施形態における通信システムＳの構成である。第３実施形態では、端末装置Ｔとして、カメラＴ３（図示せず）が、移動局装置Ｍ−１（図示せず）のテザリング機能を用いて、移動局装置Ｍを介して基地局装置Ｂと接続する。また、移動局装置Ｍ−２は、基地局装置Ｂと通信する。カメラＴ３、移動局装置Ｍ−１、及び移動局装置Ｍ−２は、球場Ｓｔ内にあるとする。球場Ｓｔでは、例えば野球やサッカー等の球技がプレイされている。
【００８３】
次に、本実施形態に係る通信制御設定処理の一例を示すシーケンスについて説明する。第３実施形態に係る通信制御設定処理の一例を、図７に示すシーケンスを用いて説明する。ステップＳＴ１００において、移動局装置Ｍ−１と基地局装置Ｂとは通信中の状態にある。ＳＴ１０１において、移動局装置Ｍ−１は、撮影コンテンツのアップロード要求を基地局装置Ｂに対して行う。
【００８４】
撮影コンテンツは、カメラＴ３によって球場職員によって撮影されるものとする。ステップＳＴ１０２において、伝送装置Ｄは映像コンテンツサーバＣｃへの接続要求を伝送装置Ｄに対して行う。
【００８５】
ステップＳＴ１０３において、伝送装置ＤはコンテンツサーバＣｃに対して認証要求を行う。ステップＳＴ１０４において、伝送装置ＤのコンテンツサーバＣｃによる認証が確立する。ステップＳＴ１０５において、コンテンツサーバＣｃの通信制御設定制御部Ｃ２１は、通信制御設定の設定番号として‘２’を通信制御設定情報記憶部Ｃ１から選択し、通信制御設定要求情報を生成する。当該通信制御設定要求情報は、要求番号として‘３’を、設定番号として‘２’を含む。通信処理部Ｃ２２は、当該要求番号を含む要求情報を、送信部Ｃ３１によって、伝送装置Ｄに対して送信させる。
【００８６】
ステップＳＴ１０６において、伝送装置Ｄは基地局装置Ｂに対して、当該通信制御設定の要求情報を送信する。ステップＳＴ１０７において、通信制御設定制御部Ｂ３１は、当該通信制御設定要求情報が含む要求番号‘３’と、図４に示す通信制御設定要求情報表とに基づき、設定番号の‘２’に対応する通信モードを選択する。
【００８７】
そして、通信処理部Ｂ３２は、第１基地局通信部Ｂ１に対して、通信制御設定制御部Ｂ３１が設定した通信モード、すなわち大容量上り通信モードで、通信を行わせる。これにより、基地局装置Ｂは、設定番号に応じた通信モードで、移動局装置Ｍと通信を行う。
【００８８】
ここで、ステップＳＴ１０７において、通信制御設定制御部Ｂ３１は、当該通信制御設定要求情報と、図４に示す通信制御設定要求情報表とに基づき、設定番号の‘２’に対応する通信経路を選択しても良い。通信処理部Ｂ３２は、第１基地局通信部Ｂ１に対して、通信制御設定制御部Ｂ３１が設定した通信経路、すなわち‘大容量上り（５Ｇ）’の通信経路で、通信を行わせても良い。これにより、基地局装置Ｂは、設定番号に応じた通信経路で、移動局装置Ｍと通信を行う。
【００８９】
ステップＳＴ１０８において、ユーザは、移動局装置Ｍ−１及びカメラＴ３を用いて映像コンテンツをコンテンツサーバＣｃにアップロードする。
【００９０】
ステップＳＴ１０９において、コンテンツサーバＣｃは、通信制御設定要求情報を生成し、伝送装置Ｄに対して送信し、一度設定した通信モード及び／又は通信経路を解放させるようにする。当該通信制御設定要求情報は、要求番号として‘１０’を含む。ステップＳＴ１１０において、伝送装置Ｄは、当該要求情報を基地局装置Ｂに対して送信する。
【００９１】
ステップＳＴ１１１において、基地局装置Ｂの通信制御設定制御部Ｂ３１は、当該要求情報が含む要求情報の‘１０’に基づき、設定した通信モード及び／又は通信経路を解放するという情報を読み出す。通信処理部Ｂ３２は、当該情報に基づき、設定した通信経路及び／又は通信経路を、第１基地局通信部Ｂ１に対して解放させるよう制御する。
【００９２】
次に、本実施形態に係る通信制御設定処理の一例を示すシーケンスについて説明する。本実施形態に係る通信制御設定処理の一例を、図７に示すシーケンスを用いて説明する。ステップＳＴ１００において、移動局装置Ｍ−２と基地局装置Ｂとは通信中の状態にある。ＳＴ１０１において、移動局装置Ｍ−２は、球場コンテンツのダウンロード要求を基地局装置Ｂに対して行う。ステップＳＴ１０２において、伝送装置Ｄは球場コンテンツサーバＣｄへの接続要求を伝送装置Ｄに対して行う。
【００９３】
ステップＳＴ１０３において、伝送装置ＤはコンテンツサーバＣｄに対して認証要求を行う。ステップＳＴ１０４において、伝送装置ＤのコンテンツサーバＣｄによる認証が確立する。ステップＳＴ１０５において、コンテンツサーバＣｄの通信制御設定制御部Ｃ２１は、通信制御設定の設定番号として‘１’を通信制御設定情報記憶部Ｃ１から選択し、通信制御設定要求情報を生成する。当該通信制御設定要求情報は、要求番号として‘４’を、設定番号として‘１’を含む。通信処理部Ｃ２２は、当該要求番号を含む要求情報を、送信部Ｃ３１によって、伝送装置Ｄに対して送信させる。
【００９４】
ステップＳＴ１０６において、伝送装置Ｄは基地局装置Ｂに対して、当該通信制御設定の要求情報を送信する。ステップＳＴ１０７において、通信制御設定制御部Ｂ３１は、当該通信制御設定要求情報が含む要求番号‘４’と、図４に示す通信制御設定要求情報表とに基づき、設定番号の‘１’に対応する通信モードを選択する。
【００９５】
そして、通信処理部Ｂ３２は、第１基地局通信部Ｂ１に対して、通信制御設定制御部Ｂ３１が設定した通信モード、すなわち大容量下り通信の通信モードで、通信を行わせる。これにより、基地局装置Ｂは、設定番号に応じた通信モードで、移動局装置Ｍと通信を行う。
【００９６】
ここで、ステップＳＴ１０７において、通信制御設定制御部Ｂ３１は、当該通信制御設定要求情報と、図４に示す通信制御設定要求情報表とに基づき、設定番号の‘１’に対応する通信経路を選択しても良い。通信処理部Ｂ３２は、第１基地局通信部Ｂ１に対して、通信制御設定制御部Ｂ３１が設定した通信経路、すなわち‘大容量下り（５Ｇ）’の通信経路で、通信を行わせても良い。これにより、基地局装置Ｂは、設定番号に応じた通信経路で、移動局装置Ｍと通信を行う。
【００９７】
ステップＳＴ１０８において、ユーザは、移動局装置Ｍ−２を用いて球場コンテンツをダウンロードする。
【００９８】
ステップＳＴ１０９において、コンテンツサーバＣｄは、通信制御設定要求情報を生成し、伝送装置Ｄに対して送信し、一度設定した通信モード及び／又は通信経路を解放させるようにする。当該通信制御設定要求情報は、要求番号として‘１０’を含む。ステップＳＴ１１０において、伝送装置Ｄは、当該通信制御設定要求情報を基地局装置Ｂに対して送信する。
【００９９】
ステップＳＴ１１１において、基地局装置Ｂの通信制御設定制御部Ｂ３１は、当該通信制御設定要求情報が含む要求番号の‘１０’に基づき、設定した通信経路を解放するという情報を読み出す。通信処理部Ｂ３２は、当該情報に基づき、設定した通信モード及び／又は通信経路を、第１基地局通信部Ｂ１に対して解放させるよう制御する。
【０１００】
本実施形態において、通信制御設定要求情報の生成の際、コンテンツサーバＣの通信制御設定制御部Ｃ２１は、移動局装置Ｍ−１の環境情報として移動局装置Ｍ−１の位置情報を、コンテンツ保存部Ｃ４に保存されるコンテンツに基づいて設定しても良い。コンテンツサーバＣの通信制御設定制御部Ｃ２１は、移動局装置Ｍ−２の位置情報を、コンテンツ保存部Ｃ４に保存されるコンテンツに基づいて設定しても良い。
【０１０１】
当該位置情報は、移動局装置Ｍの位置を示す情報である。基地局装置Ｂ又はコンテンツサーバＣｃ及び／又はＣｄは、当該位置情報に基づいて、通信制御設定要求情報を生成し、要求番号を当該通信制御設定要求情報に含めても良い。
【０１０２】
このように、第３実施形態にかかる通信システムＳは、コンテンツサーバＣと基地局装置Ｂと移動局装置Ｍを具備する。コンテンツサーバＣは、サーバ制御部Ｃ２を備える。サーバ制御部Ｃ２は、移動局装置Ｍに提供するコンテンツに基づき、基地局装置Ｂと移動局装置Ｍの通信について、通信容量を要求する通信制御設定要求情報を生成する。
【０１０３】
基地局装置Ｂは、基地局制御部Ｂ３を備える。基地局制御部Ｂ３は、コンテンツサーバＣから受信した通信制御設定要求情報に基づいて、移動局装置Ｍと通信の設定を行う。
【０１０４】
移動局装置Ｍは、移動局制御部Ｍ３と第１移動局通信部Ｍ１を備え、移動局制御部Ｍ３は、コンテンツサーバＣとコンテンツの送信又は受信を行わせる。第１移動局通信部Ｍ１は、当該コンテンツに応じた通信制御設定要求情報であって、コンテンツサーバＣから基地局装置Ｂへ要求された通信制御設定要求情報に基づいて、基地局装置Ｂと通信を行う。
【０１０５】
これにより、基地局装置Ｂは、通信制御設定要求情報に基づき、コンテンツに応じた通信容量で、移動局装置Ｍと通信を行うことができる。したがって、通信システムＳの通信において大容量通信リソースを効率良く利用できる。
【０１０６】
ここで、通信制御設定要求情報の生成の際、コンテンツサーバＣｃの通信制御設定制御部Ｃ２１は、移動局装置Ｍ−１の環境情報として移動局装置Ｍ−１の位置情報を、コンテンツ保存部Ｃ４に保存されるコンテンツに基づいて、生成しても良い。コンテンツサーバＣｄの通信制御設定制御部Ｃ２１は、移動局装置Ｍ−２の位置情報を、コンテンツ保存部Ｃ４に保存されるコンテンツに基づいて生成しても良い。
【０１０７】
当該位置情報は、移動局装置Ｍの位置を示す情報である。基地局装置Ｂ又はコンテンツサーバＣｃ及び／又はＣｄは、当該位置情報に基づいて、通信制御設定要求情報を生成し、要求番号を当該通信経路要求情報に含めても良い。
【０１０８】
これにより、基地局装置Ｂは、通信制御設定番号に対応する通信モード及び／又は通信経路で、移動局装置Ｍと通信を行うことができる。すなわち、基地局装置Ｂは、コンテンツに応じた通信容量で、移動局装置Ｍと通信を行うことができる。したがって、通信システムＳの通信経路において、大容量リソースを効率良く利用できる。
【０１０９】
（第４実施形態）
次いで、本発明の第４実施形態について説明する。図９は、本実施形態における通信システムＳの構成である。第４実施形態では、端末装置Ｔとして、ビデオゲーム機Ｔ４が、移動局装置Ｍ−３のテザリング機能を用いて、移動局装置Ｍ−３を介して基地局装置Ｂと接続する。ビデオゲーム機Ｔ５が、移動局装置Ｍ−４のテザリング機能を用いて、移動局装置Ｍ−４を介して基地局装置Ｂと接続する。
【０１１０】
ビデオゲーム機Ｔ４を用いて、ユーザ甲がスポーツのゲームをプレイしている。一方、ビデオゲーム機Ｔ５を用いて、別のユーザ乙が、当該スポーツのゲームを観戦している。次に、本実施形態に係る通信制御設定処理の一例を示すシーケンスについて説明する。図７に示すシーケンス図に基づき、本実施形態に係るユーザ甲の通信制御設定処理の一例を説明する。
【０１１１】
ステップＳＴ１００において、移動局装置Ｍ−３と基地局装置Ｂとは通信中の状態にある。ＳＴ１０１において、移動局装置Ｍ−３は、スポーツのゲームをプレイする要求を基地局装置Ｂに対して行う。ステップＳＴ１０２において、伝送装置ＤはゲームのコンテンツサーバＣｅへの接続要求を伝送装置Ｄに対して行う。
【０１１２】
ステップＳＴ１０３において、伝送装置ＤはコンテンツサーバＣｅに対して認証要求を行う。ステップＳＴ１０４において、伝送装置ＤのコンテンツサーバＣｅによる認証が確立する。ステップＳＴ１０５において、コンテンツサーバＣｅの通信制御設定制御部Ｃ２１は、通信制御設定の設定番号として‘１’、‘２’、および‘３’を通信制御設定情報記憶部Ｃ１から選択し、通信制御設定要求情報を生成する。
【０１１３】
当該通信制御設定要求情報は、要求番号として‘５’を、設定番号として‘１’、‘２’、および‘３’を含む。通信処理部Ｃ２２は、当該要求番号を含む通信制御設定要求情報を、送信部Ｃ３１によって、伝送装置Ｄに対して送信させる。
【０１１４】
ステップＳＴ１０６において、伝送装置Ｄは基地局装置Ｂに対して、当該通信制御設定要求情報を送信する。ステップＳＴ１０７において、通信制御設定制御部Ｂ３１は、当該要求情報が含む要求番号‘５’と、図４に示す通信制御設定要求情報表とに基づき、設定番号の‘１’、‘２’、及び‘３’に対応する通信モードを選択する。そして、通信処理部Ｂ３２は、第１基地局通信部Ｂ１に対して、通信制御設定制御部Ｂ３１が設定した通信モード、すなわち大容量下り通信、かつ大容量上り通信、かつ低遅延通信レベル１で、通信を行わせる。これにより、基地局装置Ｂは、設定番号に応じた通信モードで、移動局装置Ｍ−３と通信を行う。
【０１１５】
ここで、ステップＳＴ１０７において、通信制御設定制御部Ｂ３１は、当該通信制御設定要求情報と、図４に示す通信制御設定要求情報表とに基づき、設定番号の‘１’、‘２’、及び‘３’に対応する通信経路を選択しても良い。通信処理部Ｂ３２は、第１基地局通信部Ｂ１に対して、通信制御設定制御部Ｂ３１が設定した通信経路、すなわち‘大容量下り（５Ｇ）’、‘大容量上り（５Ｇ）’、及び‘低遅延（５Ｇ）’の通信経路で、通信を行わせても良い。
【０１１６】
ステップＳＴ１０８において、ユーザ甲は、ビデオゲーム機Ｔ４を用いて映像や音声等をコンテンツサーバＣｅにアップロードする。
【０１１７】
また、ユーザ甲は、他のプレイヤーのプレイに係る映像や音声等のコンテンツをコンテンツサーバＣｅからダウンロードしても良い。ステップＳＴ１０９において、コンテンツサーバＣｅは、通信制御設定要求情報を伝送装置Ｄに対して送信し、一度設定した通信モード及び／又は通信経路を解放させるようにする。当該通信制御設定要求情報は、通信制御設定要求番号として‘１０’を含む。ステップＳＴ１１０において、伝送装置Ｄは、当該通信制御設定要求情報を基地局装置Ｂに対して送信する。
【０１１８】
ステップＳＴ１１１において、基地局装置Ｂの通信制御設定制御部Ｂ３１は、当該通信制御設定要求情報が含む要求情報の‘１０’と、通信制御設定情報表とに基づき、設定した通信モード及び／又は通信経路を解放するという情報を読み出す。通信処理部Ｂ３２は、当該情報に基づき、設定した通信モード及び／又は通信経路を、第１基地局通信部Ｂ１に対して解放させるよう制御する。
【０１１９】
次に、本実施形態に係る通信制御設定処理の一例を示すシーケンスについて説明する。本実施形態に係る、ユーザ乙の通信制御設定処理の一例を、図７に示すシーケンス図に基づいて説明する。ステップＳＴ１００において、移動局装置Ｍ−４と基地局装置Ｂとは通信中の状態にある。ＳＴ１０１において、移動局装置Ｍ−４は、スポーツのゲームの観戦要求を基地局装置Ｂに対して行う。ステップＳＴ１０２において、伝送装置ＤはコンテンツサーバＣｅへの接続要求を伝送装置Ｄに対して行う。
【０１２０】
ステップＳＴ１０３において、伝送装置ＤはコンテンツサーバＣｅに対して認証要求を行う。ステップＳＴ１０４において、伝送装置ＤのコンテンツサーバＣｅによる認証が確立する。ステップＳＴ１０５において、コンテンツサーバＣｅの通信制御設定制御部Ｃ２１は、通信制御設定の設定番号として、‘１’を通信制御設定情報記憶部Ｃ１から選択し、通信制御設定要求情報を生成する。
【０１２１】
当該通信制御設定要求情報は、要求番号として‘６’を、設定番号として‘１’を含む。通信処理部Ｃ２２は、当該要求番号を含む通信制御設定要求情報を、送信部Ｃ３１によって、伝送装置Ｄに対して送信させる。
【０１２２】
ステップＳＴ１０６において、伝送装置Ｄは基地局装置Ｂに対して、当該通信制御設定要求情報を送信する。ステップＳＴ１０７において、通信制御設定制御部Ｂ３１は、当該通信制御設定要求情報が含む要求番号‘６’と、図４に示す通信制御設定要求情報表とに基づき、設定番号の‘１’に対応する通信モードを選択する。
【０１２３】
そして、通信処理部Ｂ３２は、第１基地局通信部Ｂ１に対して、通信制御設定制御部Ｂ３１が設定した通信モード、すなわち大容量下り通信モードで、通信を行わせる。これにより、基地局装置Ｂは、設定番号に応じた通信モードで、移動局装置Ｍ−４と通信を行う。
【０１２４】
ここで、ステップＳＴ１０７において、通信制御設定制御部Ｂ３１は、当該通信制御設定要求情報と、図４に示す通信制御設定要求情報表とに基づき、設定番号の‘１’に対応する通信経路を選択しても良い。通信処理部Ｂ３２は、第１基地局通信部Ｂ１に対して、通信制御設定制御部Ｂ３１が設定した通信経路、すなわち‘大容量下り（５Ｇ）’の通信経路で、通信を行わせても良い。
【０１２５】
ステップＳＴ１０８において、ユーザ乙は、移動局装置Ｍ−４を用いてゲームのコンテンツをダウンロードする。ゲームのコンテンツとは、映像データや音声データ等を含む。
【０１２６】
ステップＳＴ１０９において、コンテンツサーバＣｅは、通信制御設定要求情報を生成し、伝送装置Ｄに対して送信し、一度設定した通信モード及び／又は通信経路を解放させるようにする。当該通信制御設定要求情報は、要求番号として’１０’を含む。ステップＳＴ１１０において、伝送装置Ｄは、当該通信制御設定要求情報を基地局装置Ｂに対して送信する。
【０１２７】
ステップＳＴ１１１において、基地局装置Ｂの通信制御設定制御部Ｂ３１は、当該通信制御設定要求情報が含む要求番号の’１０’と、通信制御設定要求情報表とに基づき、設定した通信モード及び／又は通信経路を解放するという情報を読み出す。通信処理部Ｂ３２は、当該情報に基づき、設定した通信モード及び／又は通信経路を、第１基地局通信部Ｂ１に対して解放させるよう制御する。
【０１２８】
本実施形態において、通信制御設定要求情報の生成の際、コンテンツサーバＣｅの通信制御設定制御部Ｃ２１は、移動局装置Ｍの環境情報として、移動局装置Ｍを操作する者のユーザ属性情報を、コンテンツ保存部Ｃ４に保存されるコンテンツに基づいて設定しても良い。ユーザ属性情報とは、ユーザがゲームのプレイヤーであるか、あるいはゲームの観戦者であるか、等の情報を含む。コンテンツサーバＣｅの通信制御設定制御部Ｃ２１は、移動局装置Ｍ−３及びＭ−４のユーザ属性情報を、コンテンツ保存部Ｃ４に保存されるコンテンツに基づいて設定しても良い。
【０１２９】
このように、第４実施形態にかかる通信システムＳは、コンテンツサーバＣと基地局装置Ｂと移動局装置Ｍを具備する。コンテンツサーバＣは、サーバ制御部Ｃ２を備える。サーバ制御部Ｃ２は、移動局装置Ｍに提供するコンテンツに基づき、基地局装置Ｂと移動局装置Ｍの通信について、通信品質又は通信容量を要求する通信制御設定要求情報を生成する。
【０１３０】
基地局装置Ｂは、基地局制御部Ｂ３を備える。基地局制御部Ｂ３は、コンテンツサーバＣから受信した通信制御設定要求情報に基づいて、移動局装置Ｍと通信の設定を行う。
【０１３１】
移動局装置Ｍは、移動局制御部Ｍ３と第１移動局通信部Ｍ１を備え、移動局制御部Ｍ３は、コンテンツサーバＣとコンテンツの送信又は受信を行わせる。第１移動局通信部Ｍ１は、当該コンテンツに応じた通信制御設定要求情報であって、コンテンツサーバＣから基地局装置Ｂへ要求された通信制御設定要求情報に基づいて、基地局装置Ｂと通信を行う。
【０１３２】
これにより、基地局装置Ｂは、通信制御設定要求情報に基づき、コンテンツに応じた通信品質又は通信容量で、移動局装置Ｍと通信を行うことができる。したがって、通信システムＳの通信において低遅延性を確保し、及び大容量通信リソースを効率良く利用できる。
【０１３３】
ここで、通信制御設定要求情報の生成の際、コンテンツサーバＣｅの通信制御設定制御部Ｃ２１は、移動局装置Ｍのユーザ属性情報を、コンテンツ保存部Ｃ４に保存されるコンテンツに基づいて、生成しても良い。コンテンツサーバＣｄの通信制御設定制御部Ｃ２１は、移動局装置Ｍ−２のユーザ属性情報を、コンテンツ保存部Ｃ４に保存されるコンテンツに基づいて生成しても良い。
【０１３４】
これにより、基地局装置Ｂは、通信制御設定番号に対応する通信モード及び／又は通信経路で、移動局装置Ｍと通信を行うことができる。すなわち、基地局装置Ｂは、コンテンツに応じた通信品質又は通信容量で、移動局装置Ｍと通信を行うことができる。したがって、通信システムＳの通信において低遅延性を確保し、及び大容量通信リソースを効率良く利用できる。
【０１３５】
また、第４実施形態にかかる通信システムＳは、移動局装置Ｍの環境情報として、移動局装置Ｍが行う通信の方向によって、基地局装置Ｂと移動局装置Ｍとの通信の通信モード及び／又は通信経路を設定しても良い。例えば通信システムＳは、基地局装置Ｂから移動局装置Ｍに向かう方向、または、移動局装置Ｍから基地局装置Ｂに向かう方向のいずれかにおいて、基地局装置Ｂと移動局装置Ｍとの通信の通信モード及び／又は通信経路を設定する。
【０１３６】
これにより、基地局装置Ｂは、設定番号に対応する通信モードで、移動局装置Ｍと通信を行うことができる。すなわち、基地局装置Ｂは、コンテンツに応じた通信品質又は通信容量で、移動局装置Ｍと通信を行うことができる。したがって、通信システムＳの通信において低遅延性を確保し、及び大容量通信リソースを効率良く利用できる。
【０１３７】
（第５実施形態）
次いで、本発明の第５実施形態について説明する。図１０は、本実施形態における通信システムＳの構成である。第５実施形態では、端末装置Ｔとして、遠隔医療機器Ｔ６（図示せず）が、移動局装置Ｍ−５（図示せず）のテザリング機能を用いて、移動局装置Ｍ−５を介して基地局装置Ｂと接続する。
【０１３８】
ここで、遠隔医療機器Ｔ６及び移動局装置Ｍ−５は、病院Ｈ１内で医師丙により用いられる。遠隔医療機器Ｔ６は、遠隔での問診を可能にする機器であり、例えば双方向映像通信機器等を含む。移動局装置Ｍ−５は、基地局装置Ｂ及び伝送装置Ｄを介してコンテンツサーバＣｆと通信を行い、コンテンツサーバＣｆのコンテンツを利用する。
【０１３９】
また、病院Ｈ２内には、遠隔医療機器Ｔ７があり、遠隔医療機器Ｔ７はコンテンツサーバＣｆと接続される。遠隔医療機器Ｔ７とコンテンツサーバＣｆとは、例えばＥｔｈｅｒｎｅｔ（登録商標）等の有線通信技術によって接続される。病院Ｈ１の医師丙は、コンテンツサーバＣｆを介して、病院Ｈ２を訪れている患者丁を問診する。
【０１４０】
次に、本実施形態に係る通信制御設定処理の一例を示すシーケンスについて説明する。図１１は、本実施形態に係る、通信制御設定処理の一例を示すシーケンスである。図１１において、遠隔医療機器Ｔ６は省略されている。ステップＳＴ２００において、移動局装置Ｍ−５と基地局装置Ｂとは通信中の状態にある。ＳＴ２０１において、移動局装置Ｍ−５は、遠隔問診コンテンツの利用を基地局装置Ｂに対して要求する。
【０１４１】
ステップＳＴ２０２において、伝送装置Ｄは遠隔問診コンテンツサーバＣｆへの接続要求を伝送装置Ｄに対して行う。ステップＳＴ２０３において、伝送装置ＤはコンテンツサーバＣｅに対して認証要求を行う。ステップＳＴ２０４において、病院Ｈ２の遠隔医療機器Ｔ７は、コンテンツサーバＣｅに対して認証要求を行う。
【０１４２】
ステップＳＴ２０５において、伝送装置ＤのコンテンツサーバＣｅによる認証が確立する。ステップＳＴ２０６において、コンテンツサーバＣｅの通信制御設定制御部Ｃ２１は、設定番号として‘１’および‘２’を通信制御設定情報記憶部Ｃ１から選択し、通信制御設定要求情報を生成する。当該通信制御設定要求情報は、要求番号として‘７’を、設定番号として‘１’及び‘２’を含む。通信処理部Ｃ２２は、当該通信制御設定要求番号を含む通信制御設定要求情報を、送信部Ｃ３１によって、伝送装置Ｄに対して送信させる。
【０１４３】
ステップＳＴ２０７において、伝送装置Ｄは基地局装置Ｂに対して、当該通信制御設定要求情報を送信する。ステップＳＴ２０８において、通信制御設定制御部Ｂ３１は、当該通信制御設定要求情報が含む要求番号‘７’と、図４に示す通信制御設定要求情報表とに基づき、設定番号の‘１’及び‘２’に対応する通信モードを選択する。
【０１４４】
そして、ステップＳＴ２０８において、通信処理部Ｂ３２は、第１基地局通信部Ｂ１に対して、通信制御設定制御部Ｂ３１が設定した通信モード、すなわち‘大容量下り通信’かつ‘大容量上り通信’で、通信を行わせる。
【０１４５】
ここで、ステップＳＴ２０８において、通信制御設定制御部Ｂ３１は、当該通信制御設定要求情報と、図４に示す通信制御設定要求情報表とに基づき、設定番号の‘１’及び‘２’に対応する通信経路を選択しても良い。通信処理部Ｂ３２は、第１基地局通信部Ｂ１に対して、通信制御設定制御部Ｂ３１が設定した通信経路、すなわち‘大容量下り（５Ｇ）’及び‘大容量上り（５Ｇ）’の通信経路で、通信を行わせても良い。
【０１４６】
ステップＳＴ２０９において、医師丙は、遠隔医療機器Ｔ６を用いて、コンテンツサーバＣｆを介して、病院Ｈ２の患者丁を遠隔問診することができる。
【０１４７】
ステップＳＴ２０９において、コンテンツサーバＣｆは、通信制御設定要求情報を伝送装置Ｄに対して送信し、一度設定した通信モード及び／又は通信経路を解放させるようにする。当該通信制御設定要求情報は、通信制御設定要求番号として‘１０’を含む。ステップＳＴ２１０において、伝送装置Ｄは、当該通信制御設定要求情報を基地局装置Ｂに対して送信する。
【０１４８】
ステップＳＴ２１１において、基地局装置Ｂの通信制御設定制御部Ｂ３１は、当該要求情報が含む要求情報の‘１０’と、通信制御設定要求情報表とに基づき、設定した通信モード及び／又は通信経路を解放するという情報を読み出す。通信処理部Ｂ３２は、当該情報に基づき、設定した通信モード及び／又は通信経路を、第１基地局通信部Ｂ１に対して解放させるよう制御する。
【０１４９】
このように、第５実施形態にかかる通信システムＳは、コンテンツサーバＣと基地局装置Ｂと移動局装置Ｍを具備する。コンテンツサーバＣは、サーバ制御部Ｃ２を備える。サーバ制御部Ｃ２は、移動局装置Ｍに提供するコンテンツに基づき、基地局装置Ｂと移動局装置Ｍの通信について、通信品質又は通信容量を要求する通信制御設定要求情報を生成する。
【０１５０】
基地局装置Ｂは、基地局制御部Ｂ３を備える。基地局制御部Ｂ３は、コンテンツサーバＣから受信した通信制御設定要求情報に基づいて、移動局装置Ｍと通信の設定を行う。
【０１５１】
移動局装置Ｍは、移動局制御部Ｍ３と第１移動局通信部Ｍ１を備え、移動局制御部Ｍ３は、コンテンツサーバＣとコンテンツの送信又は受信を行わせる。第１移動局通信部Ｍ１は、当該コンテンツに応じた通信制御設定要求情報であって、コンテンツサーバＣから基地局装置Ｂへ要求された通信制御設定要求情報に基づいて、基地局装置Ｂと通信を行う。
【０１５２】
これにより、基地局装置Ｂは、通信制御設定要求情報に基づき、移動局装置Ｍと通信を行うことができる。すなわち、基地局装置Ｂは、コンテンツに応じた通信容量で、移動局装置Ｍと通信を行うことができる。したがって、通信システムＳの通信において大容量リソースを効率良く利用できる。
【０１５３】
（第６実施形態）
次いで、本発明の第６実施形態について説明する。第６実施形態に係る通信システムＳの構成は、第５実施形態と同様である。第５実施形態との差異は、遠隔医療機器Ｔ６の代わりに遠隔医療機器Ｔ８（図示せず）が、病院Ｈ１において用いられ、遠隔医療機器Ｔ７の代わりに遠隔医療機器Ｔ９（図示せず）が、病院Ｈ２において用いられる点である。
【０１５４】
遠隔医療機器Ｔ８は、遠隔での手術を可能にする機器であり、例えば双方向映像通信機器及び遠隔でのロボット操作手段等を含む。遠隔医療機器Ｔ９は遠隔での手術を可能にする機器であり、例えばロボットである。病院Ｈ１の医師丙は、コンテンツサーバＣｆを介して、病院Ｈ２を訪れている患者丁を手術する。
【０１５５】
次に、本実施形態に係る通信制御設定処理の一例を示すシーケンスについて説明する。本実施形態に係る、通信制御設定処理の一例を、図１１に示すシーケンスに基づいて説明する。第５実施形態との差異についてのみ説明する。
【０１５６】
ＳＴ２０１において、移動局装置Ｍ−５は、遠隔手術コンテンツを利用する要求を基地局装置Ｂに対して行う。ステップＳＴ２０２において、伝送装置Ｄは遠隔問診コンテンツサーバＣｆへの接続要求を伝送装置Ｄに対して行う。
【０１５７】
ステップＳＴ２０５において、伝送装置ＤのコンテンツサーバＣｅによる認証が確立する。ステップＳＴ２０６において、コンテンツサーバＣｅの通信制御設定制御部Ｃ２１は、設定番号として‘１’、‘２’、および‘３’を通信制御設定情報記憶部Ｃ１から選択し、通信制御設定要求情報を生成する。当該通信制御設定要求情報は、要求番号として‘８’を、設定番号として‘１’、‘２’、および‘３’を含む。通信処理部Ｃ２２は、当該通信制御設定要求番号を含む通信制御設定要求情報を、送信部Ｃ３１によって、伝送装置Ｄに対して送信させる。
【０１５８】
ステップＳＴ２０８において、通信制御設定制御部Ｂ３１は、当該通信制御設定要求情報が含む要求番号‘８’と、図４に示す通信制御設定要求情報表とに基づき、設定番号の‘１’、‘２’、および‘３’に対応する通信モードを選択する。
【０１５９】
そして、ステップＳＴ２０８において、通信処理部Ｂ３２は、第１基地局通信部Ｂ１に対して、通信制御設定制御部Ｂ３１が設定した通信モード、すなわち‘大容量下り通信’、‘大容量上り通信’、かつ‘低遅延通信レベル１’で、通信を行わせる。
【０１６０】
ここで、ステップＳＴ２０８において、通信制御設定制御部Ｂ３１は、当該通信制御設定要求情報と、図４に示す通信制御設定要求情報表とに基づき、設定番号の‘１’、‘２’、および‘３’に対応する通信経路を選択しても良い。通信処理部Ｂ３２は、第１基地局通信部Ｂ１に対して、通信制御設定制御部Ｂ３１が設定した通信経路、すなわち‘大容量下り（５Ｇ）’、‘大容量上り（５Ｇ）’、及び‘低遅延（５Ｇ）’の通信経路で、通信を行わせても良い。
【０１６１】
これにより、基地局装置Ｂは、設定番号に応じた通信モード及び／又は通信経路で、移動局装置Ｍ−５と通信を行う。ステップＳＴ２０９において、医師丙は、遠隔医療機器Ｔ８およびＴ９を用いて、コンテンツサーバＣｆを介して、病院Ｈ２の患者丁を遠隔手術することができる。
【０１６２】
このように、第６実施形態にかかる通信システムＳは、コンテンツサーバＣと基地局装置Ｂと移動局装置Ｍを具備する。コンテンツサーバＣは、サーバ制御部Ｃ２を備える。サーバ制御部Ｃ２は、移動局装置Ｍに提供するコンテンツに基づき、基地局装置Ｂと移動局装置Ｍの通信について、通信品質又は通信容量を要求する通信制御設定要求情報を生成する。
【０１６３】
基地局装置Ｂは、基地局制御部Ｂ３を備える。基地局制御部Ｂ３は、コンテンツサーバＣから受信した通信制御設定要求情報に基づいて、移動局装置Ｍと通信の設定を行う。
【０１６４】
移動局装置Ｍは、移動局制御部Ｍ３と第１移動局通信部Ｍ１を備え、移動局制御部Ｍ３は、コンテンツサーバＣとコンテンツの送信又は受信を行わせる。第１移動局通信部Ｍ１は、当該コンテンツに応じた通信制御設定要求情報であって、コンテンツサーバＣから基地局装置Ｂへ要求された通信制御設定要求情報に基づいて、基地局装置Ｂと通信を行う。
【０１６５】
これにより、基地局装置Ｂは、通信制御設定要求情報に基づき、コンテンツに応じた通信品質又は通信容量で、移動局装置Ｍと通信を行うことができる。したがって、通信システムＳの通信において低遅延性を確保し、及び大容量通信リソースを効率良く利用できる。
【０１６６】
（第７実施形態）
次いで、本発明の第７実施形態について説明する。第７実施形態に係る通信システムＳの構成は、第５実施形態と同様である。第５実施形態との差異は、遠隔医療機器Ｔ６の代わりに遠隔医療機器Ｔ１０（図示せず）が、病院Ｈ１において用いられ、遠隔医療機器Ｔ９の代わりに遠隔医療機器Ｔ１１（図示せず）が、病院Ｈ２において用いられる点である。
【０１６７】
遠隔医療機器Ｔ１０及びＴ１１は、遠隔での経過観察を可能にする機器であり、例えば双方向映像通信機器等を含む。病院Ｈ１の医師丙は、コンテンツサーバＣｆを介して、病院Ｈ２を訪れている患者丁を遠隔経過観察する。
【０１６８】
次に、本実施形態に係る通信制御設定処理の一例を示すシーケンスについて説明する。本実施形態に係る、通信制御設定処理の一例を示すシーケンスを、図１１に示すシーケンス図に基づいて説明する。第５実施形態との差異についてのみ説明する。
【０１６９】
ＳＴ２０１において、移動局装置Ｍ−５は、遠隔経過観察コンテンツを利用する要求を基地局装置Ｂに対して行う。ステップＳＴ２０２において、伝送装置Ｄは遠隔経過観察コンテンツサーバＣｆへの接続要求を伝送装置Ｄに対して行う。
【０１７０】
ステップＳＴ２０５において、伝送装置ＤのコンテンツサーバＣｅによる認証が確立する。ステップＳＴ２０６において、コンテンツサーバＣｅの通信制御設定制御部Ｃ２１は、設定番号として‘６’を通信制御設定情報記憶部Ｃ１から選択し、通信制御設定要求情報を生成する。当該通信制御設定要求情報は、要求番号として‘９’を、設定番号として‘６’を含む。通信処理部Ｃ２２は、当該通信制御設定要求番号を含む通信制御設定要求情報を、送信部Ｃ３１によって、伝送装置Ｄに対して送信させる。
【０１７１】
ステップＳＴ２０８において、通信制御設定制御部Ｂ３１は、当該通信制御設定要求情報が含む要求番号‘９’と、図４に示す通信制御設定要求情報表とに基づき、設定番号の‘６’に対応する通信モードを選択する。
【０１７２】
そして、ステップＳＴ２０８において、通信処理部Ｂ３２は、第１基地局通信部Ｂ１に対して、通信制御設定制御部Ｂ３１が設定した通信モード、すなわち‘高信頼性通信’で、通信を行わせる。
【０１７３】
ここで、ステップＳＴ２０８において、通信制御設定制御部Ｂ３１は、当該通信制御設定要求情報と、図４に示す通信制御設定要求情報表とに基づき、設定番号の‘１０’に対応する通信経路を選択しても良い。通信処理部Ｂ３２は、第１基地局通信部Ｂ１に対して、通信制御設定制御部Ｂ３１が設定した通信経路、すなわち‘高信頼性（５Ｇ）’の通信経路で、通信を行わせても良い。
【０１７４】
これにより、基地局装置Ｂは、設定番号に応じた通信モードで、移動局装置Ｍ−５と通信を行う。ステップＳＴ２０９において、医師丙は、遠隔医療機器Ｔ１０およびＴ１１を用いて、コンテンツサーバＣｆを介して、病院Ｈ２の患者丁を遠隔経過観察することができる。
【０１７５】
このように、第７実施形態にかかる通信システムＳは、コンテンツサーバＣと基地局装置Ｂと移動局装置Ｍを具備する。コンテンツサーバＣは、サーバ制御部Ｃ２を備える。サーバ制御部Ｃ２は、移動局装置Ｍに提供するコンテンツに基づき、基地局装置Ｂと移動局装置Ｍの通信について、通信品質又は通信容量を要求する通信制御設定要求情報を生成する。
【０１７６】
基地局装置Ｂは、基地局制御部Ｂ３を備える。基地局制御部Ｂ３は、コンテンツサーバＣから受信した通信制御設定要求情報に基づいて、移動局装置Ｍと通信の設定を行う。
【０１７７】
移動局装置Ｍは、移動局制御部Ｍ３と第１移動局通信部Ｍ１を備え、移動局制御部Ｍ３は、コンテンツサーバＣとコンテンツの送信又は受信を行わせる。第１移動局通信部Ｍ１は、当該コンテンツに応じた通信制御設定要求情報であって、コンテンツサーバＣから基地局装置Ｂへ要求された通信制御設定要求情報に基づいて、基地局装置Ｂと通信を行う。
【０１７８】
これにより、基地局装置Ｂは、通信制御設定要求情報に基づき、コンテンツに応じた通信品質で、移動局装置Ｍと通信を行うことができる。したがって、通信システムＳの通信において高信頼性を確保することができる。
【０１７９】
また、上記各実施形態において、通信システムＳでは、基地局装置Ｂは、通信制御設定情報の設定番号１から６に対応する通信モードを設定する際は、より高い周波数帯を用いてビームフォーミングを行っても良い。通信処理部Ｂ３２は、より高い周波数帯を用いてビームフォーミングを行うよう、第１基地局通信部Ｂ１を制御しても良い。
【０１８０】
より高い周波数帯とは、例えば３．６ＧＨｚ帯から６ＧＨｚ帯またはそれ以上の高い周波数帯域や、２８ＧＨｚ帯の周波数帯域であっても良い。ビームフォーミングとは、送信部Ｂ１１を用いて送信する電波の方向、及び／又は、受信部Ｂ１２を用いて受信する電波の方向を、適応的に変化させる技術をいう。
【０１８１】
これにより、基地局装置Ｂは、設定番号に応じた通信モード及び／又は通信経路で、移動局装置Ｍと通信を行うことができる。すなわち、基地局装置Ｂは、コンテンツに応じた通信品質又は通信容量で、移動局装置Ｍと通信を行うことができる。したがって、通信システムＳの通信において低遅延性を確保し、高い信頼性を確保し、及び大容量リソースを効率良く利用できる。
【０１８２】
また、上記各実施形態において、通信システムＳは、基地局装置Ｂは、通信制御設定情報の設定番号１から６に対応する通信モード及び／又は通信経路を設定する際は、サブキャリア間隔に応じてタイムスロット長又はシンボル長を変化させて通信を行うよう、通信処理部Ｂ３２は第１基地局通信部Ｂ１を制御しても良い。
【０１８３】
これにより、基地局装置Ｂは、通信制御設定要求情報に基づき、コンテンツに応じた通信品質又は通信容量で、移動局装置Ｍと通信を行うことができる。したがって、通信システムＳの通信において低遅延性を確保し、高い信頼性を確保し、及び大容量通信リソースを効率良く利用できる。
【０１８４】
また、上記各実施形態において、通信システムＳでは、コンテンツサーバＣは、サーバ制御部Ｃ２を備える。サーバ制御部Ｃ２は、移動局装置Ｍに提供するコンテンツに基づき、基地局装置Ｂと移動局装置Ｍの通信について、通信品質又は通信容量を要求する通信制御設定要求情報を生成する。
【０１８５】
これにより、通信システムＳにおいて、通信制御設定要求情報に基づき、コンテンツに応じた通信品質又は通信容量で、基地局装置Ｂと移動局装置Ｍとが通信を行うことができる。したがって、通信システムＳの通信において低遅延性を確保し、高い信頼性を確保し、及び大容量通信リソースを効率良く利用できる。
【０１８６】
また、上記各実施形態において、通信システムＳでは、基地局装置Ｂは、基地局制御部Ｂ３を備える。基地局制御部Ｂ３は、コンテンツサーバＣから受信した通信制御設定要求情報に基づいて、移動局装置Ｍと通信の設定を行う。
【０１８７】
これにより、通信システムＳにおいて、通信制御設定要求情報に基づき、コンテンツに応じた通信品質又は通信容量で、基地局装置Ｂと移動局装置Ｍとが通信を行うことができる。したがって、通信システムＳの通信において低遅延性を確保し、高い信頼性を確保し、及び大容量通信リソースを効率良く利用できる。
【０１８８】
また、上記各実施形態において、通信システムＳでは、移動局装置Ｍは、移動局制御部Ｍ３と第１移動局通信部Ｍ１を備える。移動局制御部Ｍ３は、コンテンツサーバＣとコンテンツの送信又は受信を行わせる。第１移動局通信部Ｍ１は、コンテンツに応じた通信制御設定要求情報であって、コンテンツサーバＣから基地局装置Ｂへ要求された通信制御設定要求情報に基づいて、基地局装置Ｂと通信を行う。
【０１８９】
これにより、通信システムＳにおいて、通信制御設定要求情報に基づき、コンテンツに応じた通信品質又は通信容量で、基地局装置Ｂと移動局装置Ｍとが通信を行うことができる。したがって、通信システムＳの通信において低遅延性を確保し、高い信頼性を確保し、及び大容量通信リソースを効率良く利用できる。
【０１９０】
また、上記各実施形態において、基地局装置Ｂは、特定のコンテンツサーバＣから受信した通信制御設定要求情報に基づいて、移動局装置Ｍと通信を設定してもよい。特定のコンテンツサーバＣとは、通信品質又は通信容量の要求を許諾されたサーバである。基地局装置Ｂは、例えば、特定のネットワーク（例えば、５Ｇサービスのネットワーク）に存在するサーバ、特定のアドレス（ＩＰアドレス、ポート番号、ＭＡＣアドレス等）が付されたサーバ、特定のＩＤが付されたサーバを、特定のコンテンツサーバＣとして、通信品質又は通信容量の要求を許諾してもよい。
このように、基地局装置Ｂは、特定のコンテンツサーバＣに対して、通信品質又は通信容量の要求を許諾する。任意のサーバから通信品質又は通信容量の要求を受ける場合、基地局装置Ｂは、処理負荷が高くなる場合、又は、通信が非効率になる場合がある。基地局装置Ｂは、特定のコンテンツサーバＣから通信品質又は通信容量の要求を受けるので、処理負荷が高くなることを抑制し、また、効率の良い通信を行うことができる。
【０１９１】
また、上記各実施形態において、コンテンツサーバＣは、移動局装置Ｍ、基地局装置Ｂ、及びコンテンツサーバＣが備える伝送容量の上限に基づいて、通信制御設定要求情報を生成しても良い。コンテンツサーバＣが、移動局装置Ｍ、基地局装置Ｂ、及びコンテンツサーバＣが備える伝送容量にかかわらず通信制御設定要求情報を生成する場合、移動局装置Ｍ、基地局装置Ｂ、及びコンテンツサーバＣが備える処理能力を超えた伝送容量を設定することになる。この場合、通信システムＳにおける通信が非効率になる場合がある。したがって、上記各実施形態において、コンテンツサーバＣは、移動局装置Ｍ、基地局装置Ｂ、及びコンテンツサーバＣが備える伝送容量の上限に基づいて、通信制御設定要求情報を生成することによって、処理負荷が高くなることを抑制し、また、効率の良い通信を行うことができる。
【０１９２】
なお、本発明の一態様における通信システムＳが備える移動局装置１において動作するプログラムは、本発明の一態様に関わる上記の各実施形態や変形例で示した機能を実現するように、１つ、または複数の、ＣＰＵ（Ｃｅｎｔｒａｌ  Ｐｒｏｃｅｓｓｉｎｇ  Ｕｎｉｔ）等のプロセッサを制御するプログラム（コンピュータを機能させるプログラム）であっても良い。そして、これらの各装置で取り扱われる情報は、その処理時に一時的にＲＡＭ（Ｒａｎｄｏｍ  Ａｃｃｅｓｓ  Ｍｅｍｏｒｙ）に蓄積され、その後、フラッシュメモリやＨＤＤ（Ｈａｒｄ  Ｄｉｓｋ  Ｄｒｉｖｅ）等の各種ストレージに格納され、必要に応じてＣＰＵによって読み出し、修正・書き込みが行われても良い。
【０１９３】
なお、上述した各実施形態や変形例における通信システムＳが備える移動局装置１の一部又は全部を１つ、または複数のプロセッサを備えたコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。なお、ここでいう「コンピュータシステム」とは、通信システムＳが備える移動局装置１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１９４】
また、上述した各実施形態や変形例における通信システムＳが備える移動局装置１の一部、又は全部を典型的には集積回路であるＬＳＩとして実現してもよいし、チップセットとして実現してもよい。また、上述した各実施形態や変形例における通信システムＳが備える移動局装置１の各機能ブロックは個別にチップ化してもよいし、一部、又は全部を集積してチップ化してもよい。また、集積回路化の手法は、ＬＳＩに限らず専用回路、および／または汎用プロセッサで実現しても良い。また、半導体技術の進歩によりＬＳＩに代替する集積回路化の技術が出現した場合、当該技術による集積回路を用いることも可能である。
【０１９５】
以上、この発明の一態様として各実施形態や変形例に関して図面を参照して詳述してきたが、具体的な構成は各実施形態や変形例に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態や変形例に記載された要素であり、同様の効果を奏する要素同士を置換した構成も含まれる。
【０１９６】
例えば、上記各実施形態や各変形例の一部または全部を組み合わせることで本発明の一態様を実現してもよい。
【符号の説明】
【０１９７】
Ｃ…コンテンツサーバ、Ｂ…基地局装置、Ｍ…移動局装置、Ｃ２…サーバ制御部、Ｂ１…第１基地局通信部、Ｂ３…基地局制御部、Ｍ１…第１移動局通信部、Ｍ３…移動局制御部、Ｓ…通信システム、Ｔ…端末装置
【図１】
2020027964.tif 000003
【図２】
2020027964.tif 000004
【図３】
2020027964.tif 000005
【図４】
2020027964.tif 000006
【図５】
2020027964.tif 000007
【図６】
2020027964.tif 000008
【図７】
2020027964.tif 000009
【図８】
2020027964.tif 000010
【図９】
2020027964.tif 000011
【図１０】
2020027964.tif 000012
【図１１】
2020027964.tif 000013